(57)【要約】      （修正有）【課題】無線操縦ができない電動式おもちゃの乗り物を無線操縦ができるようにした無線受信駆動装置等の組み合わせを提供する。【解決手段】無線受信駆動装置は、二つの電極端子を同一面上に有する。乾電池型ケースは、複数の電極端子と導線を有する。磁石付きコネクターは、磁石を内蔵した電極端子を有し、乾電池型ケースと無線受信駆動装置を結ぶ。【選択図】図５
0003153534.tif 000002
【実用新案登録請求の範囲】
【請求項１】
（イ）本体の一部にネジポスト挿入孔７を設ける。
（ロ）無線受信駆動装置電極端子Ａ５と無線受信駆動装置電極端子Ｂ６は、同一面上に設ける。
以上のごとく構成された無線受信駆動装置１。
【請求項２】
（イ）外観は円柱形状である。
（ロ）側面に電極端子Ａ３１ａと電極端子Ｂ３２ａを近づけて設ける。
（ハ）上底部に電極端子Ａ３１ｂを設ける。
（ニ）下底部に電極端子Ｂ３２ｂを設ける。
（ホ）電極端子Ａ３１ａと電極端子Ａ３１ｂを導線３１ｃで接続する。
（ヘ）電極端子Ｂ３２ａと電極端子Ｂ３２ｂを導線３２ｃで接続する。
以上のごとく構成された乾電池型ケース３０。
【請求項３】
（イ）電極端子４１ａと電極端子４１ｂを導線４６で接続する。
（ロ）電極端子４２ａと電極端子４２ｂを導線４７で接続する。
（ハ）電極端子４１ａは磁石４３ａを接して内蔵する。
（ニ）電極端子４１ｂは磁石４３ｂを接して内蔵する。
（ホ）電極端子４２ａは磁石４４ａを接して内蔵する。
（ヘ）電極端子４２ｂは磁石４４ｂを接して内蔵する。
（ト）導線４６と導線４７のそれぞれの端部にケース４５ａとケース４５ｂをそれぞれ設ける。
（チ）ケース４５ａ内に電極端子４１ａと電極端子４２ａと磁石４３ａと磁石４４ａを内蔵する。
（リ）ケース４５ｂ内に電極端子４１ｂと電極端子４２ｂと磁石４３ｂと磁石４４ｂを内蔵する。
（ヌ）電極端子４１ａの一部と電極端子４２ａの一部をケース４５ａから露出させる。
（ル）電極端子４１ｂの一部と電極端子４２ｂの一部をケース４５ｂから露出させる。
（ヲ）導線４６と導線４７の一部をカバー４８で覆う。
以上のごとく構成された、［請求項１］の乾電池型ケース３０と［請求項２］の無線受信駆動装置１を結ぶ磁石付きコネクター４９。
【考案の詳細な説明】
【技術分野】
【０００１】  この考案は、無線操縦ができない電動式おもちゃの乗り物を無線操縦ができるようにした無線受信駆動装置に関するものである。
【背景技術】
【０００２】  この考案は、登録実用新案第３１４３７６５号（実用新案出願２００８−２８８３：株式会社ブレイブ：無線操縦ができない電動式おもちゃの乗り物を無線操縦ができるようにした無線受信駆動装置）を改良したものである。
【考案の開示】
【考案が解決しようとする課題】
【０００３】  この登録実用新案第３１４３７６５号の無線受信駆動装置２００（図示しない）は、既存の電動式おもちゃの乗り物（先頭車両ともいう）１００の乾電池収納部１２０に挿入するので、無線受信駆動装置２００に内蔵する乾電池は、乾電池収納部１２０が収納する乾電池の大きさより、どうしても小さくなってしまうから、長時間の無線操縦ができにくいという欠点があった。
【課題を解決するための手段】
【０００４】  本考案は、これを解決するためになされたものである。
本考案は、［請求項１］と［請求項２］と［請求項３］の組み合わせからなるので、それぞれを順に説明する。【０００５】  ［請求項１］は下記の構成からなっている無線受信駆動装置１である。
（イ）本体の一部にネジポスト挿入孔７を設ける。
（ロ）無線受信駆動装置電極端子Ａ５と無線受信駆動装置電極端子Ｂ６は、同一面上に設ける。【０００６】  ［請求項２］は下記の構成からなっている乾電池型ケース３０である。
（イ）外観は円柱形状である。
（ロ）側面に電極端子Ａ３１ａと電極端子Ｂ３２ａを近づけて設ける。
（ハ）上底部に電極端子Ａ３１ｂを設ける。
（ニ）下底部に電極端子Ｂ３２ｂを設ける。
（ホ）電極端子Ａ３１ａと電極端子Ａ３１ｂを導線３１ｃで接続する。
（ヘ）電極端子Ｂ３２ａと電極端子Ｂ３２ｂを導線３２ｃで接続する。【０００７】  ［請求項３］は下記の構成からなっている、［請求項１］の乾電池型ケース３０と、［請求項２］の無線受信駆動装置１を結ぶ磁石付きコネクター４９である。
（イ）電極端子４１ａと電極端子４１ｂを導線４６で接続する。
（ロ）電極端子４２ａと電極端子４２ｂを導線４７で接続する。
（ハ）電極端子４１ａは磁石４３ａを接して内蔵する。
（ニ）電極端子４１ｂは磁石４３ｂを接して内蔵する。
（ホ）電極端子４２ａは磁石４４ａを接して内蔵する。
（ヘ）電極端子４２ｂは磁石４４ｂを接して内蔵する。
（ト）導線４６と導線４７のそれぞれの端部にケース４５ａとケース４５ｂをそれぞれ設ける。
（チ）ケース４５ａ内に電極端子４１ａと電極端子４２ａと磁石４３ａと磁石４４ａを内蔵する。
（リ）ケース４５ｂ内に電極端子４１ｂと電極端子４２ｂと磁石４３ｂと磁石４４ｂを内蔵する。
（ヌ）電極端子４１ａの一部と電極端子４２ａの一部をケース４５ａから露出させる。
（ル）電極端子４１ｂの一部と電極端子４２ｂの一部をケース４５ｂから露出させる。
（ヲ）導線４６と導線４７の一部をカバー４８で覆う。
【考案の効果】
【０００８】  本考案は、次の効果を生む。
［請求項１］の無線受信駆動装置１は、既存の電動式おもちゃの乗り物（先頭車両ともいう）１００には搭載しないで、連結する既存のおもちゃの乗り物１０１（中間車両ともいう）に搭載する。【０００９】  既存のおもちゃの乗り物１０１（中間車両ともいう）にはモーター１０７が搭載されていない他、車内はネジポスト５０があるものの大部分が空洞であるから、［請求項１］の無線受信駆動装置１は、登録実用新案第３１４３７６５号の無線受信駆動装置より大きくすることができる。【００１０】  無線受信駆動装置を大きくできれば、無線受信駆動装置１に内蔵する乾電池も大きくすることができ、長時間の無線操縦が可能になる。
【考案を実施するための最良の形態】
【００１１】  以下、本考案を実施するための最良の形態を説明する。
まず、［請求項１］から説明する。
（イ）本体の一部にネジポスト挿入孔７を設ける。
（ロ）無線受信駆動装置電極端子Ａ５と無線受信駆動装置電極端子Ｂ６は、同一面上に設ける。
［請求項１］は、以上のごとく構成された、無線受信駆動装置１である。【００１２】  それを次に詳しく説明する。
まず、「（イ）本体の一部にネジポスト挿入孔７を設ける。」について説明する。
ネジポスト５０は、おもちゃの乗り物のボディー１５１とおもちゃの乗り物の底部１５２を連結させるために設けられている。（［図６］参照）【００１３】  本考案の無線受信駆動装置１を既存のおもちゃの乗り物１０１（中間車両ともいう）に搭載するには、まず、ボルト挿入口にねじ込まれているボルト（図示しない）を外し、おもちゃの乗り物のボディー１５１とおもちゃの乗り物の底部１５２を離す。次に、ネジポスト挿入孔７にネジポスト５０を挿入して、無線受信駆動装置１をおもちゃの乗り物の底部１５２に設置する。その後、ボルト挿入口にボルトを挿入して、おもちゃの乗り物のボディー１５１とおもちゃの乗り物の底部１５２を連結させる。
こうすることによって、ネジポスト５０以外の車内を広く活用でき、無線受信駆動装置１を大きくすることができる。これが、「（イ）本体の一部にネジポスト挿入孔７を設ける。」理由である。【００１４】  無線受信駆動装置１には、図示しないが無線受信装置受信基板部があり、昇圧装置、アンテナ、受信ＩＣ、同調回路、増幅回路、ＩＣ制御マイクロコンピューター、ＩＣモータードライバーなどが配置されているが、これらはネジポスト挿入孔７を避けて配置することは当然である。【００１５】  次に、「（ロ）無線受信駆動装置電極端子Ａ５と無線受信駆動装置電極端子Ｂ６は、同一面上に設ける。」について説明する。
これは、［請求項３］の磁石付きコネクター４９を使いやすくするためである。磁石付きコネクター４９は、［請求項１］の乾電池型ケース３０と［請求項２］の無線受信駆動装置１を結ぶためのものであるから、無線受信駆動装置電極端子Ａ５と無線受信駆動装置電極端子Ｂ６が同一面上に設けられていれば、磁石付きコネクター４９との脱着が容易にできるからである。【００１６】  無線受信駆動装置電極端子Ａ５と無線受信駆動装置電極端子Ｂ６の材質は、磁石４３ａと磁石４４ａを内蔵した磁石付きコネクター４９が吸い付くように鉄製である。【００２０】  次に、［請求項２］について説明する。
（イ）外観は円柱形状である。
（ロ）側面に電極端子Ａ３１ａと電極端子Ｂ３２ａを近づけて設ける。
（ハ）上底部に電極端子Ａ３１ｂを設ける。
（ニ）下底部に電極端子Ｂ３２ｂを設ける。
（ホ）電極端子Ａ３１ａと電極端子Ａ３１ｂを導線３１ｃで接続する。
（ヘ）電極端子Ｂ３２ａと電極端子Ｂ３２ｂを導線３２ｃで接続する。
［請求項２］は、以上のごとく構成された乾電池型ケース３０である。【００２１】  まず、「（イ）外観は円柱形状である。」について説明する。
外観を円柱形状にするのは、電動式おもちゃの乗り物１００に使用されている電池の多くは、外観が円柱形状の乾電池であり、その電池収納部１２０に本考案をセットできるようにするためである。こうすれば、電動式おもちゃの乗り物１００を改造したり破棄したりせずに、そのまま生かすことができるからである。【００２２】  次に、「（ロ）側面に電極端子Ａ３１ａと電極端子Ｂ３２ａを近づけて設ける。」について説明する。
これは、［図５］のように、［請求項３］の磁石付きコネクター４９を使いやすくするためである。磁石付きコネクター４９は、［請求項１］の乾電池型ケース３０と［請求項２］の無線受信駆動装置１を結ぶためのものであるから、電極端子Ａ３１ａと電極端子Ｂ３２ａが側面に設けられていれば、磁石付きコネクター４９との脱着が容易にできるからである。【００２３】  電極端子Ａ３１ａと電極端子Ｂ３２ａの材質は、磁石付きコネクター４９が吸い付くように鉄製である。【００２４】  次に、「（ハ）上底部に電極端子Ａ３１ｂを設ける。（ニ）下底部に電極端子Ｂ３２ｂを設ける。（ホ）電極端子Ａ３１ａと電極端子Ａ３１ｂを導線３１ｃで接続する。（ヘ）電極端子Ｂ３２ａと電極端子Ｂ３２ｂを導線３２ｃで接続する。」について説明する。【００２５】  「（ハ）上底部に電極端子Ａ３１ｂを設ける。」と「（ホ）電極端子Ａ３１ａと電極端子Ａ３１ｂを導線３１ｃで接続する。」は、磁石付きコネクター４９によって、無線受信駆動装置１からの正極電気をモーター１０７に送るためである。
「（ニ）下底部に電極端子Ｂ３２ｂを設ける。」と「（ヘ）電極端子Ｂ３２ａと電極端子Ｂ３２ｂを導線３２ｃで接続する。」は、磁石付きコネクター４９によって、無線受信駆動装置１からの負極電気をモーター１０７に送るためである。【００３０】  次に、［請求項３］について説明する。
（イ）電極端子４１ａと電極端子４１ｂを導線４６で接続する。
（ロ）電極端子４２ａと電極端子４２ｂを導線４７で接続する。
（ハ）電極端子４１ａは磁石４３ａを接して内蔵する。
（ニ）電極端子４１ｂは磁石４３ｂを接して内蔵する。
（ホ）電極端子４２ａは磁石４４ａを接して内蔵する。
（ヘ）電極端子４２ｂは磁石４４ｂを接して内蔵する。
（ト）導線４６と導線４７のそれぞれの端部にケース４５ａとケース４５ｂをそれぞれ設ける。
（チ）ケース４５ａ内に電極端子４１ａと電極端子４２ａと磁石４３ａと磁石４４ａを内蔵する。
（リ）ケース４５ｂ内に電極端子４１ｂと電極端子４２ｂと磁石４３ｂと磁石４４ｂを内蔵する。
（ヌ）電極端子４１ａの一部と電極端子４２ａの一部をケース４５ａから露出させる。
（ル）電極端子４１ｂの一部と電極端子４２ｂの一部をケース４５ｂから露出させる。
（ヲ）導線４６と導線４７の一部をカバー４８で覆う。
［請求項３］は以上のごとく構成された［請求項１］の乾電池型ケース３０と［請求項２］の無線受信駆動装置１を結ぶ磁石付きコネクター４９である。【００３１】  まず、「（イ）電極端子４１ａと電極端子４１ｂを導線４６で接続する」について説明する。
これは、無線受信駆動装置１の無線受信駆動装置電極端子Ａ５からの正極電気を電極端子Ａ３１ａに送るためである。【００３２】  次に、「電極端子４２ａと電極端子４２ｂを導線４７で接続する。」について説明する。
これは、無線受信駆動装置１の無線受信駆動装置電極端子Ｂ６からの負極電気を電極端子Ｂ３２ａに送るためである。【００３３】  次に、「（ハ）電極端子４１ａは磁石４３ａを接して内蔵する。」と（ニ）電極端子４１ｂは磁石４３ｂを接して内蔵する。」について説明する。
これは、［請求項３］の磁石付きコネクター４９を使いやすくするためである。電極端子４１ａと電極端子４１ｂは鉄製である。磁石が付いていれば、無線受信駆動装置電極端子Ａ５と無線受信駆動装置電極端子Ｂ６との脱着が容易にできるからである。【００３４】  次に、「（ホ）電極端子４２ａは磁石４４ａを接して内蔵する。」と「（ヘ）電極端子４２ｂは磁石４４ｂを接して内蔵する。」について説明する。
これは、［請求項３］の磁石付きコネクター４９を使いやすくするためである。磁石が付いていれば、電極端子Ａ３１ａと電極端子Ｂ３２ａとの脱着が容易にできるからである。【００３５】  次に、「（ト）導線４６と導線４７のそれぞれの端部にケース４５ａとケース４５ｂをそれぞれ設ける。」と「（チ）ケース４５ａ内に電極端子４１ａと電極端子４２ａと磁石４３ａと磁石４４ａを内蔵する。」と「（リ）ケース４５ｂ内に電極端子４１ｂと電極端子４２ｂと磁石４３ｂと磁石４４ｂを内蔵する。」について説明する。
これは、ケース４５ａとケース４５ｂを手でつまむだけで、無線受信駆動装置電極端子Ａ５と無線受信駆動装置電極端子Ｂ６、電極端子Ａ３１ａと電極端子Ｂ３２ａとの脱着がそれぞれ容易にできるからである。【００３６】  次に、「（ヌ）電極端子４１ａの一部と電極端子４２ａの一部をケース４５ａから露出させる。」と「（ル）電極端子４１ｂの一部と電極端子４２ｂの一部をケース４５ｂから露出させる。」について説明する。
これは、無線受信駆動装置１の無線受信駆動装置電極端子Ａ５からの正極電気を電極端子４１ａに確実に送り、電極端子４１ｂに送られた正極電気を電極端子Ａ３１ａに確実に送るためである。
同様に、無線受信駆動装置１の無線受信駆動装置電極端子Ｂ５からの負極電気を電極端子４２ａに確実に送り、電極端子４２ｂに送られた負極電気を電極端子Ｂ３２ａに確実に送るためである。【００３７】  次に、「（ヲ）導線４６と導線４７の一部をカバー４８で覆う。」について説明する。
これは、導線４６と導線４７がお互いに触れないようにカバー４８で覆うと、磁石付きコネクター４９が使いやすくなるためである。
【その他の実施例】
【００４０】  図示しないが、既存の電動式おもちゃの乗り物（先頭車両という）を使用せず、新規に先頭車両を製造する場合は、先頭車両には、モーター１０７だけを搭載すればよい。そして、図示しないが、モーター１０７の側面には、正負の電極端子を設ける。
【００４１】  図示しないが、先頭車両に連結するおもちゃの乗り物（中間車両という）には、無線受信駆動装置１を搭載する。
【００４２】  図示しないが、無線受信駆動装置１とモーター１０７とのそれぞれの電極端子は、磁石付きコネクター４９で結び付ける。
【図面の簡単な説明】
【００５０】
【図１】は、本考案［請求項１］の無線受信駆動装置１を搭載した上面図である。
【図２】は、本考案［請求項２］の乾電池型ケース３０の断面図である。
【図３】は、本考案［請求項１］の無線受信駆動装置１と［請求項２］の乾電池型ケース３０を搭載した上面図である。
【図４】は、本考案［請求項３］の磁石付きコネクター４９の断面図である。
【図５】は、本考案［請求項１］の無線受信駆動装置１と［請求項２］の乾電池型ケース３０と［請求項３］の磁石付きコネクター４９を搭載した上面図である。
【図６】は、本考案［請求項１］の無線受信駆動装置１を搭載した断面図である。
【符号の説明】
【００６０】１無線受信駆動装置
５無線受信駆動装置電極端子Ａ      ６無線受信駆動装置電極端子Ｂ
７ネジポスト挿入孔                ９ａ９ｂ９ｃ９ｂ車輪
３０乾電池型ケース
３１ａ電極端子Ａ      ３１ｂ電極端子Ａ      ３１ｃ導線
３２ａ電極端子Ｂ      ３２ｂ電極端子Ｂ      ３２ｃ導線
４１ａ電極端子      ４１ｂ電極端子      ４２ａ電極端子      ４２ｂ電極端子
４３ａ磁石    ４３ｂ磁石    ４４ａ磁石    ４４ｂ磁石
４５ａケース    ４５ｂケース    ４６導線    ４７導線    ４８カバー
４９磁石付きコネクター    ５０ネジポスト    ５１ボルト挿入口
１００電動式おもちゃの乗り物    １０１おもちゃの乗り物    １０３連結部
１０７モーター    １０８スイッチ    １１０ａ１１０ｂ１１０ｃ１１０ｂ車輪
１１１モーター電極端子Ａ    １１２モーター電極端子Ｂ    １２０乾電池収納部
１２１乾電池収納部電極端子Ａ    １２２乾電池収納部電極端子Ｂ    １２３導線
１５１おもちゃの乗り物のボディー    １５２おもちゃの乗り物の底部
【図１】
0003153534.tif 000003
【図２】
0003153534.tif 000004
【図３】
0003153534.tif 000005
【図４】
0003153534.tif 000006
【図５】
0003153534.tif 000007
【図６】
0003153534.tif 000008